(57)【要約】【課題】それぞれが異なる機能を有する複数種類の装置を簡単に水域に浮かべ設置して使用でき、水質改良等の水域改良などに簡単、有効に利用できる人工浮島を提供する。また、かかる人工浮島であって、植物を搭載した部分も簡単に組み合わせて形成でき、水域緑化等にも利用可能の多機能人工浮島を提供する。【解決手段】それぞれが個別に形成された、水に浮かぶ浮き枠体１を複数個連結した浮き枠体集合体を含んでおり、それぞれが異なる機能を有する複数種類の装置（例えば水ろ過装置、水中溶存酸素調整装置、水曝気装置、水流発生装置及び微生物添加装置）のうちから選ばれた少なくとも１種の装置（例えばろ過装置４）が一つの浮き枠体に搭載されており、少なくとも１種のもう一つの装置（例えば水流発生装置５）が残る浮き枠体１のうち少なくとも一つに搭載され、さらに植生用ユニット３が残る浮き枠体１に搭載されている多機能人工浮島。【選択図】  図７
2004147584.tif 000002
【特許請求の範囲】
【請求項１】
それぞれが個別に形成された、水に浮かぶ浮き枠体を複数個連結した浮き枠体集合体を含んでおり、
それぞれが異なる機能を有する複数種類の装置のうちから選ばれた少なくとも１種の装置が前記複数の浮き枠体のうち少なくとも一つに搭載されており、前記選ばれた少なくとも１種の装置以外の少なくとも１種の装置が残る前記浮き枠体のうち少なくとも一つに搭載されていることを特徴とする多機能人工浮島。
【請求項２】
それぞれが異なる機能を有する前記複数種類の装置の少なくとも一つは水ろ過装置、水中溶存酸素調整装置、水曝気装置、水流発生装置又は微生物添加装置のいずれかである請求項１記載の多機能人工浮島。
【請求項３】
前記浮き枠体集合体における少なくとも一つの浮き枠体には植生用ユニットが搭載されている請求項１又は２記載の多機能人工浮島。
【請求項４】
前記植生用ユニットは、それが搭載される前記浮き枠体に囲まれた領域の面積と略同面積の大きさのベースネット、該ベースネット上の植物根張り用体及び該根張り用体上の植栽済み体を含んでいる請求項３記載の多機能人工浮島。
【請求項５】
前記浮き枠体集合体における少なくとも一つの浮き枠体には前記植生用ユニットを搭載した浮き枠体における植物の育成のための肥料、植物活性剤等の植物育成補助剤のうち少なくとも一つを投与する植物育成補助装置が搭載されている請求項３又は４記載の多機能人工浮島。
【請求項６】
前記各浮き枠体は３角形状の浮き枠体である請求項１から５のいずれかに記載の多機能人工浮島。
【発明の詳細な説明】
【０００１】
【発明の属する技術分野】
本発明は、湖沼、河川、池、海等の水域に浮かべる人工浮島、特に水質改良に適する人工浮島に関する。
【０００２】
【従来の技術】
人工浮島については植生域を提供するものが従来から種々提案されている。
【０００３】
植生域を提供する人工浮島は、湖沼、河川、池、堀等の水域の緑化、水質改良、鳥類、魚類、昆虫類等の動物の棲息場所の提供をもたらし、水域環境の保護や改良に寄与する。
【０００４】
例えば特開平７−７９６５２号公報は、使用水域、使用目的等に応じて適切な組み合わせで使用でき、その組み合わせを豊富になし得るものを開示している。
【０００５】
同公報に開示されている人工浮島は、３角形状に形成した浮き枠体の内側に植物成育基盤を配置するとともに該基盤の上下に３角形状のネットを配置し、該ネットを枠体に連結し、上側のネットには植物の植付け孔を形成したものである。
【０００６】
該枠体は、例えば、３本の円柱状側枠辺部材のそれぞれの端部を３角形の頂点に相当する位置に配置された隅角柱の側壁に連結して形成される。各枠体の円柱状側枠辺部材をそれに隣合う枠体の円柱状側枠辺部材に沿わせ、隣合う枠体の隅角柱同士を連結することで、様々に組み合わせることができ、それにより使用水域、使用目的等に応じて適切な組み合わせを採用でき、また、豊富な組み合わせ状態を提供できる。
【０００７】
植物は該人工浮島を水上に浮かべる前又は浮かべた後、上側ネットの植付け孔からその下の植物成育基盤に植えつけられる。
【０００８】
【特許文献１】特開平７−７９６５２号公報
【０００９】
【発明が解決しようとする課題】
このように植生域を水域に出現させる人工浮島は既に提案されているのであるが、水ろ過装置等の水質改良装置など、それぞれ独自の機能を有する装置類を複数選んで組み合わせ使用することで水質等を可及的総合的に改良できるように、それらを水域に簡単に浮かべ設置する手段や、さらにそれに植生域を提供する浮島を組み合わせ設置する手段は未だ見当たらない。
【００１０】
なお、特開平７−７９６５２号公報に開示され人工浮島によると、植物の植付けは、３角形状枠体の上側に設けたネットの植付け孔からその下の植物成育基盤をいちいち穿って行わなければならず、その作業は手間を要する。また、人工浮島を水域に浮かべるときの作業効率を考慮した３角形状枠体の通常考えられる大きさからすると、植物の植付け作業は、作業者が腕を大きく伸ばすなどして行わなければならず、この点でも植付け作業に手間を要する。場合によっては作業者が植物成育基盤上へ立ち入って植付け作業を行わなければならないこともあり、植物成育基盤の損傷の恐れもある。
【００１１】
さらに、予め設けられた上側ネットの植付け孔から植物を植え付けなければならないので、植付け植物の配列、植付け密度等が制限されてしまい、それだけ植付けの自由度が小さい。
【００１２】
そこで本発明は、先ず、それぞれが異なる機能を有する複数種類の装置を簡単に水域に浮かべ設置して使用でき、水質改良等の水域改良に簡単、有効に利用できる人工浮島を提供することを課題とする。
【００１３】
また本発明は、かかる人工浮島であって、植物を搭載した部分も簡単に組み合わせて形成でき、水域緑化等にも利用可能の多機能人工浮島を提供することを課題とする。
【００１４】
【課題を解決するための手段】
前記課題を解決するため本発明は、それぞれが個別に形成された、水に浮かぶ浮き枠体を複数個連結した浮き枠体集合体を含んでおり、それぞれが異なる機能を有する複数種類の装置のうちから選ばれた少なくとも１種の装置が前記複数の浮き枠体のうち少なくとも一つに搭載されており、前記選ばれた少なくとも１種の装置以外の少なくとも１種の装置が残る前記浮き枠体のうち少なくとも一つに搭載されている多機能人工浮島を提供する。
【００１５】
この人工浮島によると、各浮き枠体はそれぞれ個別に形成した後で集合体に連結される。従って、それぞれが独自の機能を有する装置は、その大きさ、重量、装置の機能等に応じて、未だ集合体に連結される前の浮き枠体に搭載してから該浮き枠体を他の浮き枠体と連結することもできるし、浮き枠体が一部或いは全部連結されてから空いている浮き枠体に搭載することもできる。また、装置に応じて、浮き枠体或いはそれらの集合体を水域に浮かべる前でも、後でも浮き枠体に搭載できる。さらに互いに近傍に設置して関連付けることが必要又は好ましい装置については集合体において隣合う浮き枠体や互いに近くにある浮き枠体に搭載することも可能である。また、互いに離して設置することが必要又は好ましい装置については集合体において離れた浮き枠体に搭載することも可能である。そして、装置はこれを搭載した浮き枠体を水域に浮かべるだけで該水域に設置できる。これらにより、それぞれが異なる機能を有する複数種類の装置を簡単に水域に浮かべ設置して使用でき、設置した装置の種類に応じて水質改良等の水域改良に簡単、有効に利用できる。
【００１６】
前記のそれぞれが異なる機能を有する複数種類の装置の代表的な例として、水ろ過装置（例えばフロート式の界面吸収型ろ過装置）、水中溶存酸素調整装置（酸素や空気を水中に吹き込む装置等）、水曝気装置（噴水装置等）、水流発生装置及び微生物添加装置（例えば水中汚染物質分解微生物の添加装置、水中動物の餌になる、或いはそれをもたらす微生物の添加装置等）を挙げることができる。
【００１７】
また、前記浮き枠体集合体における少なくとも一つの浮き枠体には、装置の一種と考えることができる、鳥類等の飛来、休息、棲息等の場所を提供する礫敷きユニットを搭載することもできる。
【００１８】
かかる礫敷きユニットとしては、例えば、水に浮かぶ浮力体を上下からネットで挟んだ礫支持体上に不織布を敷き、該不織布上に礫（小石、砂礫、砂利、砂等のうちいずれか、又はそれらの適当な組み合わせ）を敷設したものを挙げることができる。かかる礫敷きユニットは礫支持体を構成しているネット部分等で浮き枠体に吊り下げることができる。不織布の上には礫の移動を抑制するための仕切り部材を適当な間隔、配置で設けてもよい。
【００１９】
前記浮き枠体集合体における少なくとも一つの浮き枠体には植生用ユニットが搭載されていてもよい。かかる人工浮島は、該植生用ユニットにより水域緑化等にも利用可能である。かかる植生用ユニットは浮き枠体にこれを吊り下げる等して簡単に配置することができ、従って、人工浮島を植物を搭載した部分も簡単に組み合わせて形成できる。
【００２０】
植生用ユニット搭載の浮き枠体を含む人工浮島の場合、前記浮き枠体集合体における少なくとも一つの浮き枠体には該植生用ユニットを搭載した浮き枠体における植物の育成のための肥料、植物活性剤等の植物育成補助剤のうち少なくとも一つを投与する植物育成補助装置を搭載してもよい。
【００２１】
ここで植生用ユニットについてさらに説明する。
【００２２】
植生用ユニットは、例えば浮き枠体に吊り下げ用ネットを張設し、これに配置すれば簡単に水域に設置することができる。
【００２３】
好ましい植生用ユニットとして次のものを例示できる。
【００２４】
すなわち、浮き枠体に囲まれた領域の面積と略同面積の大きさのベースネット、該ベースネット上の植物根張り用体及び該根張り用体上の植栽済み体を含む植生用ユニットである。
【００２５】
かかる植生用ユニットは、例えば人工浮島設置水域或いはその近傍の場所とは異なる植生用ユニット形成場（例えば植生用ユニット形成のための野外の又は屋内の又はこれらが組み合わされた植生用ユニット形成工場）において植物の植付け自由度が高い状態で形成できる。
【００２６】
すなわち、植栽済み体は、人工浮島設置水域、人工浮島設置の目的等に応じ、適当な植物或いはその種等及びそれに適する土壌或いはそれ相当のものを選択、採用して、さらに植物の配列、密度等が所望のものとなるように形成することができる。従って、かかる植栽済み体を有する植生用ユニットにおける植物の植付け自由度は高い。
【００２７】
なお、「植栽済み体」には、既に芽生えた、或いは成長した植物を植え付けた部材のほか、そのような植物に代えて、或いはそのような植物とともに、これから植物が芽生え成長していく種、茎、根等を植え付けた部材等も含まれる。
【００２８】
植栽済み体は前記浮き枠体の内側領域面積と略同面積の大きさに形成してもよいし、浮き枠体の内側領域面積より小面積に形成してもよい。
【００２９】
植栽済み体を浮き枠体の内側領域面積と略同面積の大きさに形成するときには、その重量が大きくなり、移動が難しくなることがある。そのような場合には、前記ベースネット上に植物根張り用体を敷設しておき、該植物根張り用体上で形成することが好ましい。そうすれば、植生用ユニット全体を該ネットで支持して容易に移動させることができる。
【００３０】
植栽済み体を浮き枠体の内側領域面積より小面積に形成するときは、別途形成した植栽済み体の１又は２以上をベースネット上に敷設した植物根張り用体上に並べてもよい。ベースネット上に敷設した植物根張り用体上で１又は２以上の小植栽済み体を形成してもよい。いずれにしても、植生用ユニット全体を該ネットで支持して容易に移動させることができる。
【００３１】
ベースネットは浮き枠体に囲まれた領域の面積と略同面積の大きさのものであるが、その大きさには、ネット縁辺部を折り曲げる等して浮き枠体に囲まれた領域に収めることができる範囲の大きさも含まれる。
【００３２】
植生用ユニットは、その移動時に、ベースネットとその上の植物根張り用体相互、植物根張り用体とその上の植栽済み体相互が位置ずれしたり、それらが崩れたりしないように、適当な連結部材、例えば、ワイヤー、紐、糸等の部材で互いに縫い合わせる等して連結したり、３者を縫い合わせる等して連結する等してもよい。
【００３３】
かかる連結に代え、或いはかかる連結とともに、植栽済み体から植物根張り用体及びベースネットまで根張りした植生用ユニット体としてから移動させてもよい。
【００３４】
いずれにしても形成した植生用ユニットはそのベースネットで一括支持して容易に搬送することができ、例えばクレーンで吊り上げ、さらに必要に応じ車両等による搬送により、浮き枠体に張設した吊り下げネット上に簡単に配置できる。
【００３５】
かくして前記公報記載のように３角形状枠体内に植物成育基盤を設けてこれにいちいち植物を植え付ける人工浮島に比べて植物の植付け自由度が高い状態で簡単に形成できる。
【００３６】
いずれにしても前記浮き枠体は、これを複数連結して集合体とするとき連結し易いように、且つ、様々の形態に連結できるように、３角形状、特に正３角形状であることが望ましい。３角形状の枠体については、前記公報記載の浮き枠体連結と同様に、或いは他の適当な方法、手段で連結できる。
【００３７】
【発明の実施の形態】
以下図面を参照して本発明の実施の形態について説明する。
【００３８】
図１は本発明の多機能人工浮島の形成に用いる浮き枠体を示している。
【００３９】
この浮き枠体１は、合成樹脂、金属又はこれらの組み合わせで形成された耐水性を有する３本の細長い円筒形部材１１、該各円筒形部材１１中に内蔵された耐水性を有する浮力付与材１１１（図６参照）、それら円筒形部材１１を３角形状に連結するための合成樹脂、金属又はこれらの組み合わせで形成された耐水性を有する短い柱部材１２を有している。
【００４０】
同長の３本の円筒形部材１１は平面から見て３角形状に配列され、各隣合う部材１１の端部間に柱部材１２が配置されている。各柱部材１２は中空に形成された短円筒体の上下開口部を液密に閉じたものである。各柱部材１２の頂部には、浮き枠体１及びこれに搭載される装置等を一緒にクレーン等で吊り下げ支持することができる吊り下げ用部材１２１が設けられている。
【００４１】
各部材１１の各端部には突起部材１１２が設けられており、これが柱部材１２の外側面に突設した係合部１２２にボルトナット１１０で連結されている。また、各柱部材１２の外側面には二つの係合部１２２の間に位置する、後述するネットの支持部１２０が突設されている。突起部材１１２、係合部１２２、ボルトナット１１０及びネット支持部１２０も耐水性を有する。
【００４２】
浮き枠体１は、人工浮島設置水域Ｗの近傍場所へ部品を搬入し、その場所で形成してもよく、該場所とは異なる枠体形成場（例えば枠体形成工場）で形成してもよい。後者の場合は、形成した枠体１を人工浮島設置水域Ｗ近傍へ搬送し、該水域Ｗに浮かべればよい。
【００４３】
図２はかかる浮き枠体１に水ろ過装置（例えばフロート式の界面吸収型ろ過装置）４を搭載した浮き枠体Ｂを示している。ろ過装置４は浮き枠体１の３本の円筒形部材１１に架設したフレーム１００に搭載されている。
【００４４】
図３は浮き枠体１に、ろ過された水を水域Ｗに広く分散させる水流発生装置５を搭載した浮き枠体Ｃを示している。水流発生装置５は浮き枠体１の３本の円筒形部材１１に架設したフレーム１００に搭載されている。
【００４５】
ろ過装置４や水流発生装置５に代えて、水中溶存酸素調整装置（酸素や空気を水中に吹き込む装置等）、水曝気装置（噴水装置等）、微生物添加装置（例えば水中汚染物質分解微生物の添加装置、水中動物の餌になる、或いはそれをもたらす微生物の添加装置等）などを搭載することもできる。また、後述する礫敷きユニットを搭載することもできる。
【００４６】
次に植生用ユニットを搭載した浮き枠体について説明する。
【００４７】
図４は植生用ユニット３を搭載した浮き枠体Ａを示しており、図５は図４の枠体Ａから植生用ユニット３を除いた状態を示している。図６は図４のＸ−Ｘ線に沿う切断端面図で枠体Ａが水域に浮かべられた状態で示している。
【００４８】
図４に示す枠体Ａは、既述のものと同じ正３角形状の浮き枠体１、これに張設された吊り下げネット２及び該ネット上に配置された植生用ユニット３を含んでいる。
【００４９】
浮き枠体１に張設された吊り下げネット２は合成樹脂等からなる耐水性を有するネットであり、浮き枠体１の内側領域と略同面積の大きさを有する３角形状に形成されており、各頂点部分が連結部材２１にて前記吊り下げネット支持部１２０に連結されることで浮き枠体１に吊り下げられ、張設されている。吊り下げネット２はその上に配置される植生用ユニット３を浮き枠体１に吊り下げ支持できる強度を有している。
【００５０】
植生用ユニット３は全体として浮き枠体１の内側領域に略丁度納まる大きさに形成されており、図６に示すように、浮き枠体１に囲まれた領域の面積と略同面積の大きさの３角形状ベースネット３１、ベースネット３１上の植物根張り用体３２及び該根張り用体上の植栽済み体３３を含んでいる。
【００５１】
ベースネット３１は耐水性を有するもので、それには限定されないが、ここではネット形態のジオテキスタイルとして知られているポリプロピレン製ネットである。なお、植生用ユニットのベースネットの耐水性については、後述するように植生用ユニットを枠体１に張設された吊り下げネット２上に配置するまでの間は分解したり、損傷したりしない程度のものでもよい。
【００５２】
植物根張り用体３２は、耐水性、通水性を有し、その中に、或いはさらにそれを貫通して植物が根を張ることができるもので、それには限定されないが、ここではポリエチレン、ポリプロピレン（ＰＰ）等製ジオテキスタイルからなる標準厚さ約５ｃｍのものである。浮き枠体１の内側領域に納まるように３角形状に且つ層体に形成されている。
【００５３】
植栽済み体３３は、人工浮島の設置水域や使用目的等に応じて選択した植物ＰＬを、それには限定されないがここでは、該植物に適する土壌或いはそれ相当の植物育成用媒体を敷いたパレット等で、或いは露地等で所定の配列や密度で栽培して得た植栽済みブロック体３３１をベースネット３１上の植物根張り用体３２の上に全体として３角形状となるように並べ設けて形成されている。
【００５４】
ベースネット３１、根張り用体３２及び植栽済み体３３は位置ずれを抑制するため図示省略の連結部材で連結してある。
【００５５】
かかる植生用ユニット３は植生用ユニット形成場で形成することができ、そこで形成した植生用ユニット３をそのベースネット３１の部分で一括支持してクレーン等により吊り上げ、車両等に乗せて人工浮島設置水域Ｗ近傍の場所へ搬送できる。そこで吊り下げネット張設済みの枠体１であって、未だ人工浮島設置水域Ｗ近傍の場所にある枠体１又は水域Ｗに浮かべられた枠体１の吊り下げネット２上に、植生用ユニット３をそのベースネット３１でクレーン等により吊り上げて簡単に配置でき、必要に応じ該植生用ユニット３を枠体１及び（又は）吊り下げネット２にワイヤー等の連結部材で連結することができる。
【００５６】
植生用ユニット３を搭載した浮き枠体Ａは、図６に示すように人工浮島設置水域Ｗに浮かべて、緑化、水質改良、鳥類、魚類、昆虫類等の動物の棲息場所の提供をもたらし、水域環境の保護や改良に寄与させることができる。植栽済み体３３における植物ＰＬは根張り用体３２内に根を張り、さらにベースネット３１から吊り下げ用ネット２を貫通して水中まで根を張ることができる。
【００５７】
図７は浮き枠体Ａ、Ｂ及びＣを連結して形成した多機能人工浮島の１例を示している。図８は図７の人工浮島における浮き枠体ＡとＢとの連結状態を拡大して示している。
【００５８】
図８に示すように、隣合う枠体１において一方の枠体の一本の円筒形部材１１と他方の枠体の一本の円筒形部材１１とを隣り合わせ、かくして隣合う柱部材１２のうち少なくとも一方に緩衝材１２３を設け（例えばリング形状の緩衝材を嵌め）、該緩衝材１２３を介して該隣合う柱部材１２を相互に当接させ、さらに該両柱部材１２をワイヤ等の連結部材１２４で相互連結することで、枠体ＡとＢを相互に連結できる。枠体ＡとＡ、枠体ＡとＣについても同様に連結できる。かくして、例えば６角形の多機能人工浮島を形成できる。この人口浮島は、必要に応じ水域Ｗの底ＢＴ（図６参照）に適当な繋留手段ＡＮで繋留してもよい。図６は浮き枠体Ａの部分を繋留している様子を示している。
【００５９】
この人工浮島は、それぞれが異なる機能を有する複数種類の装置（本例ではろ過装置４及び水流発生装置５）を簡単に水域に浮かべ設置して使用でき、設置した装置の種類に応じて水質改良等の水域改良に簡単、有効に利用できる。
【００６０】
また、図７に示す人工浮島は植生用ニット３を搭載した枠体Ａも組み合わされており、水域の緑化等にも利用できる。
【００６１】
次に礫敷きユニットを搭載した浮き枠体について説明する。
【００６２】
図９は礫敷きユニットの１例の、一部省略の概略断面を示しており、図１０は図１の浮き枠体１に礫敷きユニットを搭載した浮き枠体Ｄの平面を示している。図１１は図１０に示す浮き枠体Ｄから不織布４、礫５及び仕切り部材６を除いた状態（すなわち浮き枠体１に礫支持体２００を取り付けた状態）の平面を示している。
【００６３】
図９に示す礫敷きユニットは、礫支持体２００上に不織布４を敷き、その上に帯状板を平面視３角形状に組み合わせた仕切り部材６（図９には不図示、図１０参照）を必要に応じて配置し、該不織布４上に礫（小石、砂礫、砂利、砂等のうちいずれか、又はそれらの適当な組み合わせ）を敷設したものである。
【００６４】
礫支持体２００は、図１１に示すように、発泡ポリエチレン等からなる厚さ１００ｍｍの小３角形状の浮力体２０３の４枚を全体として３角形状に組み合わせ配列し、それらの上下からネット２０１、２０２を被せ、該ネット周辺部を互いに連結して形成してある。礫支持体２００はそのネットの部分で連結部材２１を介して浮き枠体１の柱部材１２側面のネット支持部１２０に連結され、支持される。不織布４は上側のネット２０２上に載置されるだけでもよいが、ネット２０２に縫着等して連結しておくことが望ましい。仕切り部材６は、図１０に示すように、連結部材６０で浮き枠体１の円筒形部材１１に連結される。
【００６５】
図１２は図２、図３、図４及び図１０に示す浮き枠体Ａ、Ｂ、Ｃ及びＤを連結して形成した多機能人工浮島例の平面図である。この浮き島では礫敷きユニットを搭載した二つの浮き枠体Ｄが、それぞれ浮き枠体Ａに囲まれて配置されている。
【００６６】
かかる浮き枠体Ｄを含む人工浮島によると、該枠体Ｄが鳥類等の飛来、休息、棲息等の場所を提供することができる。礫５の移動は仕切り部材６により抑制される。
【００６７】
【発明の効果】
以上説明したように本発明によると、それぞれが異なる機能を有する複数種類の装置を簡単に水域に浮かべ設置して使用でき、水質改良等の水域改良等に簡単、有効に利用できる人工浮島を提供することができる。
【００６８】
また本発明によると、かかる人工浮島であって、植物を搭載した部分も簡単に組み合わせて形成でき、水域緑化等にも利用可能の多機能人工浮島を提供することができる。
【図面の簡単な説明】
【図１】本発明の多機能人工浮島の形成に用いる浮き枠体の平面図である。
【図２】図１に示す浮き枠体に水ろ過装置を搭載した浮き枠体の平面図である。
【図３】図１に示す浮き枠体に水流発生装置を搭載した浮き枠体の平面図である。
【図４】図１に示す浮き枠体に植生用ユニットを搭載した浮き枠体の平面図である。
【図５】図４の浮き枠体から植生用ユニットを除いた状態の平面図である。
【図６】図４のＸ−Ｘ線に沿う切断端面図で浮き枠体が水域に浮かべられた状態で示している。
【図７】図２、図３及び図４に示す浮き枠体を連結して形成した多機能人工浮島例の平面図である。
【図８】図７に浮島における二つの浮き枠体の連結状態を拡大して示す図である。
【図９】礫敷きユニットの１例の、一部省略の概略断面図である。
【図１０】図１に示す浮き枠体に礫敷きユニットを搭載した浮き枠体の平面図である。
【図１１】図１０の浮き枠体から不織布、礫等を除いた状態の平面図である。
【図１２】図２、図３、図４及び図１０に示す浮き枠体を連結して形成した多機能人工浮島例の平面図である。
【符号の説明】
１  ３角形状の浮き枠体
１１  円筒形部材
１１１  浮力付与材
１１２  突起部材
１１０  ボルトナット
１２  柱部材
１２１  吊り下げ用部材
１２２  係合部材
１２３  緩衝材
１２４  連結部材
４  ろ過装置
１００  装置搭載用フレーム
Ａ  植生用ユニットを搭載した浮き枠体
５  水流発生装置
Ｂ  水ろ過装置を搭載した浮き枠体
Ｃ  水流発生装置を搭載した浮き枠体
Ｄ  礫敷きユニットを搭載した浮き枠体
２  吊り下げネット
３  植生用ユニット
３１  ベースネット
３２  植物根張り用体
３３  植栽済み体
３３１  植栽済みブロック体
Ｗ  水域
ＢＴ  水域底
ＡＮ  繋留手段
２００  礫支持体
２０１、２０２  ネット
２０３  浮力体
４  不織布
５  礫
６  仕切り部材
６０  連結部材
【図１】
2004147584.tif 000003
【図２】
2004147584.tif 000004
【図３】
2004147584.tif 000005
【図４】
2004147584.tif 000006
【図５】
2004147584.tif 000007
【図６】
2004147584.tif 000008
【図７】
2004147584.tif 000009
【図８】
2004147584.tif 000010
【図９】
2004147584.tif 000011
【図１０】
2004147584.tif 000012
【図１１】
2004147584.tif 000013
【図１２】
2004147584.tif 000014